(57)【要約】【課題】  交換サーバが他の交換サーバの管理しているゲートウェイ（以下、GW）を自由に利用できる電話交換システムを提供する。【解決手段】  本発明の電話交換システムは、アクセスした端末が接続を許可されているか否かを検出する接続許可端末認証部と、呼要求があると、接続先情報から利用可能な所属GWとして予め登録された呼接続先解決データベースから、端末に使用が許可されている所属GWを抽出し、自身の呼接続先解決データベースに接続先情報に対応したGWが無い場合、他IP交換網にあるサーバに問い合わせ、接続先情報に対応したGWを非所属GWとする呼接続先解決部と、各所属または非所属GWの通信資源情報により端末に対して対応可能なGWを選択するGW資源利用可否判定部と、選択されたGWに対し認証情報の発行を要求し、送付された認証情報を端末に送信する認証情報受渡処理部とからなるサーバを具備する。【選択図】    図１
2005333440.tif 000002
【特許請求の範囲】
【請求項１】
端末と、該端末の管理および通信接続制御を行うサーバと、前記端末の所属する通信網を収容し、公衆回線網を利用して他の端末と呼接続を行うゲートウェイとがＩＰ交換網上にある電話交換システムであり、
前記サーバは、アクセスした端末が接続を許可されているか否かを検出する接続許可端末認証部と、前記他の端末に対する呼要求があると、接続先情報から利用可能な所属ゲートウェイとして予め登録された呼接続先解決データベースから、端末に対して使用が許可されている１つまたは複数の所属ゲートウェイを抽出し、一方、自身の呼接続先解決データベースに接続先情報に対応したゲートウェイが無い場合、他のＩＰ交換網にあるサーバに問い合わせ、接続先情報に対応したゲートウェイを非所属ゲートウェイとして得る呼接続先解決部と、各所属または非所属ゲートウェイの通信資源情報に基づいて通信資源が端末に対して対応可能な所属または非所属ゲートウェイを選択するゲートウェイ資源利用可否判定部と、選択された所属または非所属ゲートウェイに対して認証情報の発行を要求し、所属または非所属ゲートウェイから送付された認証情報を端末に送信する認証情報受渡処理部とを有し、
前記所属または非所属ゲートウェイは、認証情報を要求したサーバが接続許可サーバ管理データベースに登録されているか否かを検出するサーバ認証部と、登録されていることを検出した場合、保有する通信資源の状態を示す通信資源情報を調査し、前記サーバに対してアドレス情報及び通信資源情報を含む前記認証情報を送信する認証情報発行部とを有し、
前記端末は、サーバから送信された認証情報により、前記サーバにより他の端末との呼確立を前記所属ゲートウェイまたは非所属ゲートウェイとを介して行うことを特徴とする電話交換システム。
【請求項２】
前記ゲートウェイ資源利用可否判定部が、端末の契約しているゲートウェイにおけるチャンネル同時利用数以上の空きチャンネル数のあるゲートウェイを選択することを特徴とする請求項１記載の電話交換システム。
【請求項３】
前記認証情報発行部がサーバからの認証情報の要求に対応して、接続許可サーバデータベースに該サーバが登録されているか否かの検出を行い、登録されていることが検出されると、保有している通信品質がサーバに対応しているか否かと、現在利用されている通信資源とを調査し、調査結果を通信資源情報として、発行した認証情報とともにサーバに送信することを特徴とする請求項１または請求項２に記載の電話交換システム。
【請求項４】
前記端末が認証情報から所属または非所属ゲートウェイのアドレス情報を検出して該ゲートウェイに接続するとともに該認証情報を送付すると、ゲートウェイの端末認証部が前記端末からの認証情報が自身で発行したか否かの検出を行い、自身で発行したことを検出し、かつサーバに呼要求した端末であることを検出すると、他端末接続部が他の端末への接続処理を行うことを特徴とする請求項１から請求項３のいずれかに記載の電話交換システム。
【請求項５】
前記所属または非所属ゲートウェイが、前記他の端末の接続処理を行う際、接続開始時にタイマーのカウントを開始させ、該カウント数に対応させ、接続に対する課金を積算する課金処理部と、前記サーバに積算された課金を通知する課金情報通知部とを有し、
該サーバが該所属または非所属ゲートウェイから通知された課金を積算して、他端末との接続における端末の課金とする課金情報処理部を
有することを特徴とする請求項４に記載の電話交換システム。
【請求項６】
端末と、該端末の管理および通信接続制御を行うサーバと、前記端末の所属する通信網を収容し、公衆回線網を利用して他の端末と呼接続を行うゲートウェイとがＩＰ交換網上にある電話交換システムに用いられるサーバであり、
アクセスした端末が接続を許可されているか否かを検出する接続許可端末認証部と、
前記他の端末に対する呼要求があると、接続先情報から利用可能な所属ゲートウェイとして予め登録された呼接続先解決データベースから、端末に対して使用が許可されている１つまたは複数の所属ゲートウェイを抽出し、一方、自身の呼接続先解決データベースに接続先情報に対応したゲートウェイが無い場合、他のＩＰ交換網にあるサーバに問い合わせ、接続先情報に対応したゲートウェイを非所属ゲートウェイとして得る呼接続先解決部と、
各所属または非所属ゲートウェイの通信資源情報に基づいて通信資源が端末に対して対応可能な所属または非所属ゲートウェイを選択するゲートウェイ資源利用可否判定部と、
選択された所属または非所属ゲートウェイに対して認証情報の発行を要求し、所属または非所属ゲートウェイから送付された認証情報を端末に送信する認証情報受渡処理部と
を有することを特徴とするサーバ。
【請求項７】
前記呼接続先解決部が前記端末の契約しているゲートウェイにおけるチャンネル同時利用数以上の空きチャンネル数のある非所属ゲートウェイを、前記呼接続先解決データベースから選択することを特徴とする請求項６記載のサーバ。
【請求項８】
保有している通信資源がサーバに対応しているか否かの情報と、現在の通信資源の使用状況とを含む、使用要求への応答として非所属利用ゲートウェイから入力される通信資源情報に基づき、利用可能か否かを判定するゲートウェイ通信資源利用可否判定部を有し、
前記認証情報受渡処理部が該ゲートウェイ通信資源利用可否判定部の利用可能と判定した利用ゲートウェイの認証情報を前記端末に送信することを特徴とする請求項６または請求項７に記載のサーバ。
【請求項９】
所属及び非所属ゲートウェイ毎の課金及びこれら課金の合計金額が、各端末単位の利用料金として記憶されている課金情報管理データベースと、
各所属及び非所属利用ゲートウェイから入力される課金を各端末単位に積算し、積算結果を端末毎の利用料金として前記課金情報管理データベースに格納する課金情報処理部と
を有していることを特徴とする請求項６から請求項８のいずれかに記載のサーバ。
【請求項１０】
端末と、該端末の管理および通信接続制御を行うサーバと、前記端末の所属する通信網を収容し、公衆回線網を利用して他の端末と呼接続を行うゲートウェイとがＩＰ交換網上にある電話交換システムに用いられるゲートウェイであり、
接続可能なサーバが登録されている接続許可サーバデータベースと、
他の端末への接続を要求する端末にアクセスされたサーバからの利用許可としての認証情報の要求に対して、該サーバが接続許可サーバデータベースに登録されているか否かを検出し、登録されていることを検出すると、前記要求への応答として前記端末に対する認証情報を発行するサーバ認証部と、
保有する通信資源及び現在利用可能な通信資源を示す通信資源情報が記憶されたゲートウェイ通信資源管理データベースと
を有することを特徴とするゲートウェイ。
【請求項１１】
前記サーバ認証部がゲートウェイ通信資源管理データベースから、保有する通信資源の状態を示す通信資源情報を調査し、ゲートウェイが使用可能か否かを判定する情報として、アドレス情報を含む前記認証情報とともに、前記サーバに対して通信資源情報を通知することを特徴とする請求項１０記載のゲートウェイ。
【請求項１２】
自身の発行した認証情報を、発行先の端末に対応させて格納する認証情報保持データベースと、
該認証情報保持データベースを参照して、アクセスを依頼する端末から入力された認証情報が自身の発行した認証情報であるか否かの検出を行う端末認証部と、
端末から入力した認証情報が自身の発行した認証情報であることが検出されると、該端末を他の端末に接続する他端末接続部と
を有することを特徴とする請求項１０または請求項１１に記載のゲートウェイ。
【請求項１３】
前記他端末接続部が前記端末及び他の端末間の接続を確立すると、接続時間をカウントし、接続時間に対応した料金を端末に通知する課金処理部と、
単位時間あたりの料金が格納されている課金管理データベースと、
一定時間間隔または接続の切断時における、前記課金処理部から入力される前記接続時間に対応する料金を、前記課金管理データベースを参照して判定して、判定結果の料金を該課金処理部に通知する課金情報通知部と
を有することを特徴とする請求項１２に記載のゲートウェイ。
【発明の詳細な説明】
【技術分野】
【０００１】
本発明は、電話交換システム及びサーバ並びにゲートウェイに関する。
【背景技術】
【０００２】
近年、ＩＰ（Internet Protocol）を利用した通信トラヒックは急激に増加しており、それに伴い、ＩＰ通信網は拡充され、ＩＰ通信網への広帯域アクセスや常時接続なども提供されている。また、ＩＰ通信機器は安価に提供され、ＩＰを利用した電話サービスを実現するＶｏＩＰ（Voice over IP）も実現されてきている。
【０００３】
しかし現在、ＶｏＩＰの接続は基本的な二者間呼が対象であり、ＰＢＸ（Private Branch Exchange）などの構内交換サービスに関しては、端末が収容されるビルなどにＰＢＸ交換機のような高価な専用装置の設置が必要であった。さらに、同じ会社内で構内交換サービスを構築する場合、地理的に離れた箇所に拠点があるときには、拠点ごとに専用装置を設置しなけばならないことがあった。これらにより、ユーザにコストがかかっていた。よって、ユーザはコストを削減したいという要求がある。また、サービスの追加や機能の変更などの必要がある場合には、専用装置の販売元に依頼して直接専用装置に対して作業を施してもらう必要があり、煩雑であった。
【０００４】
一方、通信事業者は、専用装置のサポートのために、個別にユーザの専用装置の設置場所に出向く必要があった。これは、煩雑であるとともに、保守・運用のための人的リソースもかかってしまっていた。そこで、通信事業者は保守・運用の負担を軽減したいという要求がある。
この要求に対応し、ＶoＩＰ通信機器を搭載し、任意のグループを構成する端末と、この端末の管理および通信接続制御を行う交換サーバ（ＶＰＢＸ）と、該端末が属する通信網を収容する接続装置（ＧＷ；ゲートウェイ）と、公衆回線通信網に接続された他の端末とで構成される電話交換システムがある（例えば、特許文献１参照）。
【特許文献１】特開２００３−３２４５２４号公報
【発明の開示】
【発明が解決しようとする課題】
【０００５】
しかしながら、特許文献１に示す装置構成にあっては、第１の通信網に所属する第１の端末が第２の通信網に属する第２の端末に対する呼を要求した場合、第１の交換サーバが第２の交換サーバに問い合わせて、該第２の交換サーバが第２の端末の通信網を収容しているゲートウェイを検索して、第１及び第２の交換サーバにより各々管理しているゲートウェイを用いて通信経路を確立している。
このため、従来の電話交換システムにおいては、第１の交換サーバが第２の交換サーバと種々のデータの交換を行い、かつ各々第１及び第２の通信網の内部において、それぞれゲートウェイを制御して、第１及び第２の端末間の呼を確立するため、互いのゲートウェイを有効に利用することができず、呼の接続に時間がかかるという欠点がある。
【０００６】
また、従来の電話交換システムにおいては、第１の交換サーバが第２の交換サーバの管理するゲートウェイにおける課金料金を直接情報として知ることができずに、第１の端末の課金管理を完全に行うことができない。
このとき、第１の交換サーバが、第１の端末の呼が接続されている時間により課金しようとしても、各通信網における呼接続に対する課金の基準が異なり、一律の課金基準で行うことができないため、課金管理を行えないのも理由となっている。
【０００７】
本発明は、このような事情に鑑みてなされたもので、交換サーバが他の交換サーバの管理しているゲートウェイを自由に利用し、直接に呼の接続を行い、かつそのときの課金管理を行うことが可能な電話交換システム及びサーバ並びにゲートウェイを提供することを目的とする。
【課題を解決するための手段】
【０００８】
本発明の電話交換システムは、端末と、該端末の管理および通信接続制御を行うサーバと、前記端末の所属する通信網を収容し、公衆回線網を利用して他の端末と呼接続を行うゲートウェイとがＩＰ交換網上にある電話交換システムであり、前記サーバは、アクセスした端末が接続を許可されているか否かを検出する接続許可端末認証部と、前記他の端末に対する呼要求があると、接続先情報から利用可能な所属ゲートウェイとして予め登録された呼接続先解決データベースから、端末に対して使用が許可されている１つまたは複数の所属ゲートウェイを抽出し、一方、自身の呼接続先解決データベースに接続先情報に対応したゲートウェイが無い場合、他のＩＰ交換網にあるサーバに問い合わせ、接続先情報に対応したゲートウェイを非所属ゲートウェイとして得る呼接続先解決部と、各所属または非所属ゲートウェイの通信資源情報に基づいて通信資源が端末に対して対応可能な所属または非所属ゲートウェイを選択するゲートウェイ資源利用可否判定部と、選択された所属または非所属ゲートウェイに対して認証情報の発行を要求し、所属または非所属ゲートウェイから送付された認証情報を端末に送信する認証情報受渡処理部とを有し、前記所属または非所属ゲートウェイは、認証情報を要求したサーバが接続許可サーバ管理データベースに登録されているか否かを検出するサーバ認証部と、登録されていることを検出した場合、保有する通信資源の状態を示す通信資源情報を調査し、前記サーバに対してアドレス情報及び通信資源情報を含む前記認証情報を送信する認証情報発行部とを有し、前記端末は、サーバから送信された認証情報により、前記サーバにより他の端末との呼確立を前記所属ゲートウェイまたは非所属ゲートウェイとを介して行うことを特徴とする。
【０００９】
本発明の電話交換システムは、前記ゲートウェイ資源利用可否判定部が、端末の契約しているゲートウェイにおけるチャンネル同時利用数以上の空きチャンネル数のあるゲートウェイを選択することを特徴とする。
【００１０】
本発明の電話交換システムは、前記認証情報発行部がサーバからの認証情報の要求に対応して、接続許可サーバデータベースに該サーバが登録されているか否かの検出を行い、登録されていることが検出されると、保有している通信品質がサーバに対応しているか否かと、現在利用されている通信資源とを調査し、調査結果を通信資源情報として、発行した認証情報とともにサーバに送信することを特徴とする。
【００１１】
本発明の電話交換システムは、前記端末が認証情報から所属または非所属ゲートウェイのアドレス情報を検出して該ゲートウェイに接続するとともに該認証情報を送付すると、ゲートウェイの端末認証部が前記端末からの認証情報が自身で発行したか否かの検出を行い、自身で発行したことを検出し、かつサーバに呼要求した端末であることを検出すると、他端末接続部が他の端末への接続処理を行うことを特徴とする。
【００１２】
本発明の電話交換システムは、前記所属または非所属ゲートウェイが、前記他の端末の接続処理を行う際、接続開始時にタイマーのカウントを開始させ、該カウント数に対応させ、接続に対する課金を積算する課金処理部と、前記サーバに積算された課金を通知する課金情報通知部とを有し、該サーバが該所属または非所属ゲートウェイから通知された課金を積算して、他端末との接続における端末の課金とする課金情報処理部を有することを特徴とする。
【００１３】
本発明のサーバは、端末と、該端末の管理および通信接続制御を行うサーバと、前記端末の所属する通信網を収容し、公衆回線網を利用して他の端末と呼接続を行うゲートウェイとがＩＰ交換網上にある電話交換システムに用いられるサーバであり、アクセスした端末が接続を許可されているか否かを検出する接続許可端末認証部と、前記他の端末に対する呼要求があると、接続先情報から利用可能な所属ゲートウェイとして予め登録された呼接続先解決データベースから、端末に対して使用が許可されている１つまたは複数の所属ゲートウェイを抽出し、一方、自身の呼接続先解決データベースに接続先情報に対応したゲートウェイが無い場合、他のＩＰ交換網にあるサーバに問い合わせ、接続先情報に対応したゲートウェイを非所属ゲートウェイとして得る呼接続先解決部と、各所属または非所属ゲートウェイの通信資源情報に基づいて通信資源が端末に対して対応可能な所属または非所属ゲートウェイを選択するゲートウェイ資源利用可否判定部と、選択された所属または非所属ゲートウェイに対して認証情報の発行を要求し、所属または非所属ゲートウェイから送付された認証情報を端末に送信する認証情報受渡処理部とを有することを特徴とする。
【００１４】
本発明のサーバは、前記呼接続先解決部が前記端末の契約しているゲートウェイにおけるチャンネル同時利用数以上の空きチャンネル数のある非所属ゲートウェイを、前記呼接続先解決データベースから選択することを特徴とする。
【００１５】
本発明のサーバは、保有している通信資源がサーバに対応しているか否かの情報と、現在の通信資源の使用状況とを含む、使用要求への応答として非所属利用ゲートウェイから入力される通信資源情報に基づき、利用可能か否かを判定するゲートウェイ通信資源利用可否判定部を有し、前記認証情報受渡処理部が該ゲートウェイ通信資源利用可否判定部の利用可能と判定した利用ゲートウェイの認証情報を前記端末に送信することを特徴とする。
【００１６】
本発明のサーバは、所属及び非所属ゲートウェイ毎の課金及びこれら課金の合計金額が、各端末単位の利用料金として記憶されている課金情報管理データベースと、各所属及び非所属利用ゲートウェイから入力される課金を各端末単位に積算し、積算結果を端末毎の利用料金として前記課金情報管理データベースに格納する課金情報処理部とを有していることを特徴とする。
【００１７】
本発明のゲートウェイは、端末と、該端末の管理および通信接続制御を行うサーバと、前記端末の所属する通信網を収容し、公衆回線網を利用して他の端末と呼接続を行うゲートウェイとがＩＰ交換網上にある電話交換システムに用いられるゲートウェイであり、接続可能なサーバが登録されている接続許可サーバデータベースと、他の端末への接続を要求する端末にアクセスされたサーバからの利用許可としての認証情報の要求に対して、該サーバが接続許可サーバデータベースに登録されているか否かを検出し、登録されていることを検出すると、前記要求への応答として前記端末に対する認証情報を発行するサーバ認証部と、保有する通信資源及び現在利用可能な通信資源を示す通信資源情報が記憶されたゲートウェイ通信資源管理データベースとを有することを特徴とする。
【００１８】
本発明のゲートウェイは、前記サーバ認証部がゲートウェイ通信資源管理データベースから、保有する通信資源の状態を示す通信資源情報を調査し、ゲートウェイが使用可能か否かを判定する情報として、アドレス情報を含む前記認証情報とともに、前記サーバに対して通信資源情報を通知することを特徴とする。
【００１９】
本発明のゲートウェイは、自身の発行した認証情報を、発行先の端末に対応させて格納する認証情報保持データベースと、該認証情報保持データベースを参照して、アクセスを依頼する端末から入力された認証情報が自身の発行した認証情報であるか否かの検出を行う端末認証部と、端末から入力した認証情報が自身の発行した認証情報であることが検出されると、該端末を他の端末に接続する他端末接続部とを有することを特徴とする。
【００２０】
本発明のゲートウェイは、前記他端末接続部が前記端末及び他の端末間の接続を確立すると、接続時間をカウントし、接続時間に対応した料金を端末に通知する課金処理部と、単位時間あたりの料金が格納されている課金管理データベースと、一定時間間隔または接続の切断時における、前記課金処理部から入力される前記接続時間に対応する料金を、前記課金管理データベースを参照して判定して、判定結果の料金を該課金処理部に通知する課金情報通知部とを有することを特徴とする。
【発明の効果】
【００２１】
以上説明したように、発明によれば、交換サーバが管理下に無い、すなわち他のＩＰ交換網にあるゲートウェイを、他のＩＰ交換網にある他の交換サーバから紹介してもらい、非所属ゲートウェイとして、一時的に管理下において、他の交換サーバによる関与を受けずに呼接続処理を行わせることができるため、呼接続処理における交換サーバ選択の自由度を向上させることができる。
また、発明によれば、呼処理接続において、他のＩＰ交換網にあるゲートウェイにおいてカウントされた課金情報を直接に管理することができるため、後に集計のために、他の交換サーバに問い合わせて、使用した端末毎に分類して加算処理する必要が無くなり、課金の処理を効率化させることが可能となる。
【発明を実施するための最良の形態】
【００２２】
以下、本発明の一実施形態による電話交換システムを図面を参照して説明する。図１は同実施形態の一構成例を示すブロック図である。
この図において、ＩＰ（Internet Protocol）交換網ＡＩ及びＩＰ交換網ＢＩは、各々ルータＡ７，Ｂ７及びインターネット，専用データ通信網及び公衆データ通信網などから構成されているネットワークＧＩを介して、接続されている。上記ＩＰ交換網ＡＩ及びＩＰ交換網ＢＩは、同一または異なる通信事業者により構成されている。
【００２３】
ＩＰ交換網ＡＩには、各種データベースと、１つまたは複数の管理サーバ（例えば、交換サーバＡ２，Ａ６）と、この交換サーバの管理下にある複数のゲートウェイ（例えば、ゲートウェイＡ３〜Ａ５）が接続されている。
同様に、ＩＰ交換網ＢＩにも、各種データベースと、１つまたは複数の交換サーバ（例えば、交換サーバＢ２，Ｂ６）と、この交換サーバの管理下にある複数のゲートウェイ（例えば、ゲートウェイＢ３〜Ｂ５）が接続されている。
ゲートウェイＡ３〜Ａ５とゲートウェイ（以下、ＧＷ）Ｂ３〜Ｂ５とは同一または異なる通信事業者が設置しており、端末との間の呼接続に対する課金の基準が異なっている。
【００２４】
これらＧＷ・Ａ３〜Ａ５及びＧＷ・Ｂ３〜Ｂ５は、ＣＰＵならびにメモリを含む周辺ＬＳＩで構成され、ＣＰＵがメモリに記録されたプログラムを読み出し逐次実行することにより、以下の機能を実現するものである。
ＧＷ・Ａ３〜Ａ５及びＧＷ・Ｂ３〜Ｂ５は、公衆電話網ＡＫ，ＢＫ各々と接続するためのＰＲＩ（Primary Rate Interface）などの加入者線−交換機間インタフェース、あるいは、ＳＴＭ（Synchronous Transport Module）−０／１やＴ−１などの音声の送受信及び共通線信号などの呼制御信号の送受信に使用する交換機間インタフェースを実装する。
【００２５】
さらに、ＧＷ・Ａ３〜Ａ５及びＧＷ・Ｂ３〜Ｂ５は、ＴＣＰ／ＩＰ、ＳＩＰやＨ．３２３などのＩＰ交換網上の呼制御プロトコル、Ｇ．７１１、Ｇ．７２９などの、音声をＩＰデータに変換するためのコーディックを実装する。
そして、交換サーバＡ２，Ａ６及び交換サーバＢ２，Ｂ６の指示により、端末Ａ１またはＢ１との間の音声回線のコネクションを確立・切断したり、公衆電話網ＡＫ，ＢＫと接続される音声回線上の音声データとＩＰ交換網上の音声データを変換する機能を実現する。
【００２６】
そして、通信事業者は、ＩＰ交換網ＡＩを管理し、同じ構内電話交換のグループ内での発着信（内線電話）、及び、公衆電話網ＡＫを介した端末Ａ１１〜Ａ１６との、あるいは、外部にあるＩＰ交換網ＢＩを介した端末Ｂ１，端末Ｂ１１〜端末Ｂ１６との発着信（外線電話）が可能な電話交換サービスを提供する。
そして、複数の企業ユーザは、通信事業者の提供する電話交換サービスを受けている。
【００２７】
端末Ａ１及び端末Ｂ１はＩＰ電話機であり、具体的には、ＣＰＵならびにメモリを含む周辺ＬＳＩで構成され、ＣＰＵがメモリに記録されたプログラムを読み出し逐次実行することにより、以下の機能を実現するものである。
端末Ａ１及び端末Ｂ１は、ｘＤＳＬ（Digital Subscriber Line）やＦＴＴＨ（Fiber to the home）、ＣＡＴＶ（Community Antenna Television）などのＩＰ常時接続でＩＰ交換網ＡＩ，ＢＩへそれぞれ接続される。
また、端末Ａ１，Ｂ１は、ＴＣＰ／ＩＰ（Transmission Control Protocol／Internet Protocol）、ＳＩＰ（Session Initiation Protocol）やＨ．３２３などのＩＰ上の呼制御プロトコル、及び、Ｇ．７１１、Ｇ７２３．１、Ｇ．７２９などの、音声をＩＰデータに変換するためのコーディックが実装され、各々ネットワーク，ＩＰ交換網ＡＩ及びＢＩを介したＩＰによる電話通信の機能を実現する。
【００２８】
そして、交換サーバＡ２またはＡ６の指示により、ＧＷ・Ａ３〜Ａ５、ＧＷ・Ｂ３〜Ｂ５あるいは着端末とＩＰによる電話通信の機能を実現する。
さらに、端末Ａ１は、交換サーバＡ６から受信した信号の指示により着信等を示すランプを点灯・消灯する機能や、ボタンに代表電話番号などの番号情報や保留のための番号などを割り付ける機能を備え、また、自端末を識別するための端末ＩＤと、自端末の製造メーカ名及び型番からなる端末型情報を記憶している。
ここで、交換サーバＡ２がＧＷ・Ａ３〜Ａ５を管理し、交換サーバＢ６がＧＷ・Ｂ３〜Ｂ５を管理しているとすると、交換サーバＡ２に対してＧＷ・Ａ３〜Ａ５が所属ゲートウェイとなり、ＧＷ・Ｂ３〜Ｂ５が非所属ゲートウェイとなる。
【００２９】
また、端末Ａ１１〜Ａ１６、及び端末Ｂ１１〜Ｂ１６は、一般のアナログ電話機やＩＳＤＮ（Integrated Service Digital Network）電話機であり、公衆電話網ＡＫまたは公衆電話網ＢＫを介した電話の発着信の機能を実現する。
ここで、端末Ａ１１〜Ａ１６各々はＧＷ・Ａ３〜Ａ５により電話回線の通信網が収容されており、同様に、端末Ｂ１１〜Ｂ１６各々はＧＷ・Ｂ３〜Ｂ５により電話回線の通信網が収容されている。
交換サーバＡ２，Ａ６，Ｂ２，Ｂ６は、具体的には、ＣＰＵならびにメモリを含む周辺ＬＳＩで構成され、ＣＰＵがメモリに記録されたプログラムを読み出し逐次実行することにより、以下の機能を実現するものである。交換サーバＡ２，Ａ６，Ｂ２，Ｂ６は、ＴＣＰ／ＩＰ及びＳＩＰやＨ．３２３などのＩＰ上の呼制御プロトコルを実装している。
【００３０】
交換サーバＡ２，Ａ６，Ｂ２，Ｂ６各々は、ＴＣＰ／ＩＰを実装しており、図２に示すように、少なくとも、接続許可端末認証部１，呼接続先解決部２，ＧＷ資源利用可否判定部３，認証情報受渡処理部４，課金情報処理部５，接続許可端末ＤＢ６，呼接続先解決ＤＢ７，ＧＷ資源ＤＢ８，課金情報ＤＢ９を有しており、各部が各々対応するデータベースと相互動作することにより、端末Ａ１やＧＷ・Ａ３〜Ａ５の発呼・着呼、さらに端末Ｂ１やＧＷ・Ｂ３〜Ｂ５の発呼・着呼を制御する。図２は、交換サーバＡ２，Ａ６，Ｂ２，Ｂ６の一構成例を示すブロック図である。
【００３１】
接続許可端末ＤＢ６は、ＴＣＰ／ＩＰを実装しており、このデータベースが設けられている交換サーバに対してアクセス可能な端末の端末ＩＤが登録されており、また、登録されている端末ＩＤ毎に、ゲートウェイ資源を利用する権利を有するか否かを判定するサービスクラス（すなわち、ゲートウェイの利用を許可されているサービスクラスか否かを示す情報）が対応して記憶されている。
また、接続許可端末ＤＢ６は、ＴＣＰ／ＩＰを実装しており、電話交換サービスのサービス内容にかかわる情報、すなわち、呼の状態遷移に従って変化することのない静的な情報を記憶する。例えば、
・収容する端末ＩＤ
・上記端末に対して相互接続を許可するＧＷ
・ダイヤルイン契約及びダイヤルイン番号
・発信規制・着信規制
などを記憶している。
【００３２】
呼接続先解決ＤＢ７は、端末から要求された接続先としての他の端末の通信網を収容する（他の端末に接続可能な）所属ゲートウェイと、また、上記接続先に接続可能な非所属ゲートウェイを管理する他の交換サーバのアドレス情報とを格納している。
すなわち、呼接続先解決ＤＢ７は、ＴＣＰ／ＩＰを実装しており、着信先を示す接続情報（相手番号）から接続すべきゲートウェイ、端末、及び、前記着信先のゲートウェイ、端末が存在する地理的な位置を示す対地情報を取得するためのルーティングテーブルを記憶する。接続先情報には、電話番号やＵＲＬ（Universal Resource Locator）などが使用される。
【００３３】
ＧＷ資源ＤＢ８は、ＴＣＰ／ＩＰを実装しており、呼の状態遷移によって変化する動的な情報を記憶する。例えば、
・現在の端末毎の呼の状態（呼出中、通話中、空など）
・ＧＷリソース（資源）の使用状態
・ＧＷの契約数管理、すなわち各端末毎が契約している通信資源（チャンネル）の同時利用数
などを記憶する。
【００３４】
課金情報管理ＤＢ９は、具体的には、ＴＣＰ／ＩＰを実装しており、各端末の利用状況に応じた課金情報を、各端末毎に蓄積している。例えば、
・呼毎の発信あるいは着信した端末ＩＤ
・呼毎のＧＷ（所属及び非所属のゲートウェイ）の呼処理番号（ＧＷが発信を受け付けた呼毎に割り当てる番号）
・呼毎の接続先の対地情報・呼毎の通話時間・呼毎の料金・月毎の契約固定料金（サービスの契約内容に依存した固定料金）
・月毎の従量料金（呼数、通話時間、接続先の対地により変動する料金）
などを蓄積する。
【００３５】
接続許可端末認証部１は、端末が所属しているＧＷを介して、交換サーバにアクセスしたとき、端末の端末ＩＤを接続許可端末ＤＢにおいて検索し、検索結果として登録されていた場合、この端末ＩＤに対応したサービスクラスのデータの判定を行い、ゲートウェイの利用が可能なサービスクラスであるか否かの判定を行い、利用可能で有ると判定した場合、認証したことを示す認証信号を出力し、登録されていないかまたはサービスクラスがゲートウェイを使用できないと判定した場合、認証しないことを示す非認証信号を出力する。
【００３６】
呼接続先解決部２は、端末からの接続先情報に対応する端末の通信網を、同じＩＰ交換網におけるゲートウェイ（以下、所属ゲートウェイ）が収容している場合、この端末が使用を許可されているゲートウェイ（１つまたは複数）を、呼接続先解決ＤＢ７から選択し、ＧＷ資源利用可否判定部３に対して選択した所属ゲートウェイを送信し、使用可能か否かの判定を行い、ＧＷ資源利用可能可否判定部３により利用可能であることが検出された所属ゲートウェイを最終的に指定して、端末に対する認証情報（ゲートウェイのアドレス情報及び通信資源情報を含む）の発行を、指定した所属ゲートウェイに対して要求する。
上記認証情報は、認証したことを示すデータと、認証したゲートウェイのアドレス情報とを含んでおり、後に述べる非所属ゲートウェイの発行するものも同様である。
【００３７】
また、呼接続先解決部２は、端末からの接続先情報に対応する端末の通信網を、同じＩＰ交換網における所属ゲートウェイが収容していない場合、呼接続先解決ＤＢ７から接続先情報に対応した端末を収容するゲートウェイ（以下、非所属ゲートウェイ）を管理している他のＩＰ交換網（異なるＩＰ交換網）にある他の交換サーバのアドレス情報を、接続先情報により検索して、この他の交換サーバに対して、呼を要求する端末の資源同時利用数のデータを接続先情報及び自身のサーバ情報とともに送信して、接続先情報に対応する他の端末の通信網を収容している非所属ゲートウェイ（この呼接続先管理部２の交換サーバの接続されたＩＰ交換網とは異なるＩＰ交換網に接続されている）の問い合わせを行う。
ここで、呼接続先解決部２は、他の交換サーバに対する問い合わせにおいて、使用する通話品質（たとえば、Ｇ．７１１、Ｇ７２３．１、Ｇ．７２９などの）情報及び利用したい資源数（チャンネル数）情報を添付して問い合わせを送付する。
【００３８】
さらに、呼接続先解決部２は、上記他の交換サーバから、所属ゲートウェイの問い合わせが入力された場合、呼接続先解決ＤＢ７から、問い合わせられた接続先情報に基づき、この接続先情報に対応する端末の通信網を収容する所属ゲートウェイ（１つまたは複数）を選択し、この所属ゲートウェイのアドレス情報が含まれる識別番号を、他の交換サーバへ送信するとともに、各所属ゲートウェイに対して、上記他の交換サーバの登録を行う。
また、呼接続先解決部２は、他の交換サーバに接続情報を送信して、問い合わせの結果として、他の交換サーバから入力されたアドレス情報の所属ゲートウェイを非所属ゲートウェイとし、すなわち、他の交換サーバの管理下にあり、接続先の端末の接続情報に対応して通知された所属ゲートウェイを、非所属ゲートウェイトして以降使用する。
ここで、呼接続先解決部２は、ＧＷ資源利用可否判定部３に対して選択した非所属ゲートウェイを送信し、使用可能か否かの判定を行い、ＧＷ資源利用可能可否判定部３により利用可能であることが検出された非所属ゲートウェイを最終的に指定して、端末に対する認証情報の発行を、指定した非所属ゲートウェイに対して要求する。
【００３９】
ＧＷ資源利用可否判定部３は、呼接続先解決部２から入力される所属または非所属ゲートウェイの識別番号により、各ゲートウェイ毎に、交換サーバが利用できる資源同時利用数、さらに、この資源同時利用数の範囲内において、現在利用されていない資源が、端末の利用する資源数以上であるか否かの検出を行い、利用可能であることが検出されたゲートウェイの識別番号を利用可能であることを示すＯＫ信号とともに、また、利用可能でないことが検出された所属または非所属ゲートウェイの識別番号を利用できないことを示すＮＯ信号とともに、呼接続先解決部２に送信する。
【００４０】
認証情報受渡処理部４は、認証情報の要求に対して、端末の利用を許可した所属または非所属ゲートウェイから認証情報及びゲートウェイの利用状況のデータを受けると、再度、ＧＷ資源利用可能可否判定部３により利用可能であることの検出を行い、利用可能であることを確認すると、呼要求をした端末へ上記認証情報を送信する。
課金情報処理部５は、所属または非所属ゲートウェイに対して、呼接続の切断（終話）時に、課金情報の問い合わせを行い、問い合わせに対応して返送された課金情報を、各端末毎に課金情報管理ＤＢ９に格納する。
【００４１】
図１の端末Ａ１及びＢ１は、図３に示すように、少なくとも、接続許可申請処理部１１，認証情報受信部１２，接続要求部１３，所属サーバ情報記憶部１４及びＧＷ認証情報記憶部１５を有しており、各部が各々対応するデータベースと相互動作することにより、他の端末に対する発呼または着呼の処理を制御する。図３は、端末Ａ１または端末Ｂ１の一構成例を示すブロック図である。
所属サーバ情報記憶部１４は、端末が接続を許可されている、同一ＩＰ交換網に接続された交換サーバ（１つまたは複数）のアドレス情報と、端末自身の端末ＩＤとが記憶されている。端末Ａ１や端末Ｂ１がＩＰ交換網に設置された時点で、各々が所属するＩＰ交換網における所定の交換サーバが所属サーバ情報記憶部１４に格納される。
【００４２】
ＧＷ認証情報記憶部１５には、呼要求に対して交換サーバから送信された、着呼である接続先情報に対応した端末の通信網を収容したゲートウェイの認証情報を一時的に記憶されている。
接続許可申請処理部１１は、発信要求を、端末ＩＤとともに、所属サーバ情報記憶部１４に記憶されている交換サーバに対して送信する。
認証情報受信部１２は、交換サーバから送信された所属または非所属ゲートウェイ（１または複数）の認証情報を、ＧＷ認証情報記憶部１５に一旦格納する（呼要求した回線の接続が切断されるまでの間格納している）。
接続要求部１３は、ＧＷ認証情報記憶部１５に格納された所属または非所属ゲートウェイからいずれかを選択して、選択した上記識別情報からアドレス情報を抽出して、抽出されたアドレス情報により、選択されたゲートウェイに対してこの識別情報を付加して、交換サーバＡ２（またはＡ６）に対して接続要求（接続の依頼）を行う。
【００４３】
次に、図１のＧＷ・Ａ３〜Ａ５，Ｂ３〜Ｂ５は、図４に示すように、少なくとも、サーバ認証部２１，端末認証部２２，他端末接続部２３，課金処理部２４，課金情報通知部２５，認証情報発行部２６，接続許可サーバ管理ＤＢ２７，認証パスワード保持ＤＢ２８，ＧＷ資源管理ＤＢ２９および課金管理ＤＢ３０を有している。
接続許可サーバ管理ＤＢ２７には、ＴＣＰ／ＩＰが実装されており、接続を許可する交換サーバのリスト（たとえば、交換サーバの識別情報），該リストにある交換サーバ毎の利用可能資源（たとえばチャンネル数）の最大数情報，使用可能な通話品質，各交換サーバ毎の現在利用中の資源数が記憶されている。
ここで、図４は、ＧＷ・Ａ３（Ａ４，Ａ５，Ｂ３〜Ｂ５）の一構成例を示すブロック図である。
【００４４】
認証パスワード保持ＤＢ２８には、ＴＣＰ／ＩＰが実装されており、認証情報発行部２６が発行した認証情報と、該認証情報を発行した端末の端末ＩＤとが対応づけて記憶されている。
ＧＷ資源管理ＤＢ２９には、ＴＣＰ／ＩＰが実装されており、保有している総資源数情報と、現在利用可能な資源数（チャンネル数）情報と、これらの資源の利用可能な通話品質とが記憶されている。
課金管理ＤＢ３０には、ＴＣＰ／ＩＰが実装されており、接続を行った端末毎に、端末ＩＤに対応させて接続に対する課金が積算された課金情報が記憶されている。
【００４５】
サーバ認証部２１は、同一ＩＰ交換網または異なるＩＰ交換網にある交換サーバが、端末に対する認証情報を要求してアクセスしてくると、同一または異なるＩＰ交換網にあるサーバからの、同一または異なるＩＰ交換網のいずれにあるかを示すサーバ情報が添付された認証情報要求であることを検出する。サーバ認証部２１が認証情報要求に添付されたサーバ情報がいずれのＩＰ交換網に存在するかを検出すると、認証情報発行部２６は、アクセスしてきた交換サーバが接続許可サーバ管理ＤＢ２７に登録されているか否かを検出する。サーバ認証部２１はアクセスしてきた交換サーバが接続許可サーバ管理ＤＢ２７に登録されていることを検出すると、認証情報発行部２６に認証情報の発行を要求する。
また、サーバ認証部２１は、異なるＩＰ交換網にある他の交換サーバから、所属ゲートウェイの検索を要求されると、上記他の交換サーバの識別情報を接続許可管理サーバＤＢ２７に、異なるＩＰ交換網にある交換サーバであることを示すフラグを添付して、交換サーバのリストに格納する（接続許可サーバ管理ＤＢ２７に登録する）。このフラグにより、同一のＩＰ交換網にある交換サーバか異なるＩＰ交換網にある交換サーバかの判別が行われる。
【００４６】
認証情報発行部２６は、サーバ認証部２１が同一ＩＰ交換網にある交換サーバからの認証情報を要求を検出すると、接続許可サーバ管理ＤＢ２７にこの交換サーバが登録されているか否かの検出を行う。そして、認証情報発行部２６は、登録されていることを検出した場合、接続許可サーバ管理ＤＢ２７およびＧＷ資源管理ＤＢ２９を参照して、要求先の交換サーバが利用可能資源の最大数情報と、現在使用中の資源数とを調査して、現在使用中の資源数を上記最大数から減算した結果が、端末の要求する資源数以上であると判定し、かつ利用可能な資源の通話品質が交換サーバの利用可能な通話品質に対応していると判定すると、この端末に対して認証情報を発行して、認証パスワード保持ＤＢ２８に対して、この端末の端末ＩＤに対応させて、発行した上記認証情報を登録するとともに、要求した交換サーバに対して認証情報に、このＧＷのアドレス情報及び使用可能な資源数及びこれらの使用可能な通話品質のデータ（通信資源情報）を添付して送信する。
【００４７】
また、認証情報発行部２６は、サーバ認証部２１が異なるＩＰ交換網にある交換サーバからの認証情報要求を検出すると、接続許可サーバ管理ＤＢ２７にこの交換サーバが登録されているか否かの検出を行う。そして、認証情報発行部２６は、登録されていることを検出した場合、現在使用中の資源数を上記最大数から減算した結果が、端末の要求する資源数以上であると判定し、かつ利用可能な資源の通話品質が交換サーバの利用可能な通話品質に対応していると判定すると、この端末に対して認証情報を発行して、認証パスワード保持ＤＢ２８に対して、この端末の端末ＩＤに対応させて、発行した上記認証情報を登録するとともに、要求した交換サーバに対して認証情報を、使用可能な資源数及びこれらの使用可能な通話品質のデータを添付して送信する。
【００４８】
端末認証部２２は、交換サーバからの接続要求のアクセスに対して、送信されてきた端末ＩＤ及び認証情報に基づいて、認証パスワード保持ＤＢ２８を参照して、この認証情報が自信の発行したものか否かの検出を行い、認証パスワード保持ＤＢ２８において、認証情報を検出し、この検出された認証情報に対応する端末ＩＤが、送信されてきた送信ＩＤと等しいことを検出すると、送信されてきた認証情報を自信の発行した認証情報として確認して、他端末接続部２３に対して呼接続の要求を出力する。
他端末接続部２３は、呼を要求した端末と、この端末の出力した接続先情報の示す端末との間に呼接続を確立する。
【００４９】
課金処理部２４は、他端末接続部２３が上記呼接続を行った時点から、タイマーのカウントを開始して、所定の時間間隔毎に所定の単位の課金を積算して、各端末の端末ＩＤに対応させて、課金の積算結果の課金情報を、上記時間間隔毎または呼接続の切断時に課金管理ＤＢ３０に格納する（記憶させる）。
ここで、上記時間間隔及び課金の単位は課金管理ＤＢ３０にあらかじめ記憶されており、課金処理部２４は、課金を開始する時点で、時間間隔及び課金の単位を課金管理ＤＢ３０から読み出して用いる。
課金情報通知部２５は、同一または異なるＩＰ通信網にある交換サーバからの課金情報の要求に対応して、指定された端末ＩＤに対応する課金情報を課金管理ＤＢ３０から読み出し、要求元の交換サーバへ送信する。
【００５０】
＜所属ゲートウェイを使用した、端末への呼接続＞
以下に、接続先情報の示す端末の通信網が同一のＩＰ通信網にあるゲートウェイに収容されている場合の呼接続の流れを、図５を参照して説明する。ここで、図５は端末Ａ１が端末Ａ１１に対して外線発信を行った場合を示すシーケンス図である。
呼接続の説明において、端末Ａ１が端末Ａ１１に対して発信を行ったとする。この場合、交換サーバＡ２またはＡ６と同一のＩＰ交換網ＡＩにあるゲートウェイ、すなわち所属ゲートウェイであるＧＷ・Ａ３〜Ａ５のいずれかを用いて、端末Ａ１１に呼接続を行う。
【００５１】
利用者が端末Ａ１から端末Ａ１１へ外線発信を行うと、接続許可申請処理部１１は所属サーバ情報記憶部１４を参照して、所属先の交換サーバを検索して、検索された交換サーバＡ２に対して端末ＩＤ及び接続先情報（端末Ａ１１の電話番号が設定された相手番号が含まれる）を送信する（ステップＳ１）。
次に、交換サーバＡ２において、接続許可端末認証部１は、端末Ａ１から入力された端末ＩＤが接続許可端末ＤＢ６に登録されており、かつゲートウェイの資源を使用する権利があるか否かの検出を行う（ステップＳ２）。
【００５２】
そして、接続許可端末認証部１は、端末Ａ１の端末ＩＤが接続端末許可ＤＢ６に登録されており、かつゲートウェイの資源を利用する権利があることを検出すると認証信号を出力し、処理をステップＳ４へ進める（ステップＳ３）。
一方、接続許可端末認証部１は、端末ＩＤが登録されていないか、またはゲートウェイのチャンネル（通信チャンネル）を利用するサービスクラスでないことのいずれかを検出した場合、非認証信号を端末Ａ１に出力し、回線の切断を行う。
次に、呼接続先解決部２は、端末Ａ１から入力された端末ＩＤ及び接続先情報により、呼接続先解決ＤＢ７を参照して、該接続先情報に対応するゲートウェイを検索して、検索されたゲートウェイから、この端末Ａ１が使用可能なゲートウェイを一つまたは複数個、たとえば、ＧＷ・Ａ３〜Ａ５を選択する（ステップＳ４）。ここで、選択されたゲートウェイを、交換サーバＡ２及びＡ６と同一のＩＰ交換網ＡＩにあり、交換サーバＡ２またはＡ６が管理しているため、所属ゲートウェイと呼ぶ。
【００５３】
そして、ＧＷ資源利用可否判定部３は、交換サーバＡ２（端末Ａ１が所属する）が契約しているチャンネル数をＧＷ管理ＤＢ８において検索して、これら所属ＧＷにおけるチャンネル（資源の一例）の契約数から利用中のチャンネルを減算した残りのチャンネル数（資源数の一例）が、端末Ａ１の要求する資源の利用数より大きいことが確認されると、その所属ＧＷが利用可能であることを検出する。
この結果、ＧＷ資源利用可否判定部３は、呼接続先解決部２の選択した所属ＧＷ（ゲートウェイ）・Ａ３〜Ａ５において、利用可能であることが可能と検出した所属ＧＷ毎にＯＫ信号を呼接続先解決部２へ出力する。
これにより、呼接続先解決部２は、このＯＫ信号を入力して、利用可能であることが検出された所属ＧＷに対して、呼接続を許可する認証情報の発行を依頼する（ステップＳ５）。
一方、ＧＷ資源利用可否判定部３は、現在の残りのチャンネル数が端末Ａ１の要求するチャンネル数（資源数の一例）より少ないことを検出すると、端末Ａ１に対して接続が失敗したことを示す情報を出力した後、端末Ａ１との呼接続を切断する。
【００５４】
次に、たとえば、所属ＧＷ・Ａ３において、サーバ認証部２１が同一ＩＰ交換網ＡＩにある交換サーバＡ２からの同一ＩＰ交換網ＡＩにある事を示すサーバ情報を添付した認証情報要求であることを検出すると、認証情報発行部２６は接続許可サーバ管理ＤＢ２７にこの交換サーバＡ２が登録されているか否かの検出を行う。そして、認証情報発行部２６が登録を確認すれば、サーバ認証部２１は認証情報発行部２６に、端末Ａ１に対する認証情報の発行を指示する。
【００５５】
これにより、認証情報発行部２６は、接続許可サーバ管理ＤＢ２７にこの交換サーバＡ２が登録されていることを検出し、サーバ認証部２１からの指示を入力することにより、ＧＷ資源管理ＤＢ２９において、交換サーバＡ２の利用可能なチャンネル数を示す最大数情報から、交換サーバＡ２が現在利用しているチャンネル数を減算し、この演算結果が端末Ａ１の要求するチャンネル数以上であることを検出し、かつあらかじめ送信されている交換サーバＡ２が利用可能な通話品質に対応していることを検出すると、端末Ａ１に対する認証情報を発行する。
そして、認証情報発行部２６は、上記発行した認証情報を端末Ａ１の端末ＩＤに対応させて、認証パスワード保持ＤＢ２８に登録するとともに、この認証情報を交換サーバＡ２へ送信する（ステップＳ６）。他の所属ＧＷ・Ａ４及びＡ５も、上述した所属ＧＷ・Ａ３と同様に、認証情報の発行処理を行う。
【００５６】
次に、交換サーバＡ２において、認証情報受渡処理部４は、呼接続先解決部２の認証情報の要求に対応して、要求した各所属ＧＷから返送される認証情報を受信する。
そして、認証情報受渡処理部４は、認証情報を送信してきた各所属ＧＷに対して、再度、ＧＷ資源利用可否判定部３によるチャンネルの利用可能の可否の判定（すでに述べた利用可否の判定処理と同様）を行い、利用可能であると判定された所属ＧＷの認証情報を端末Ａ１に対して転送する（ステップＳ７）。
【００５７】
これにより、端末Ａ１において、認証情報受信部１２は、入力される各所属ＧＷ（たとえば、Ａ３〜Ａ５）の認証情報を、一端、ＧＷ認証情報記憶部１５へ格納する。
そして、端末Ａ１は、表示部に認証情報を送信してきた所属ＧＷの情報（認証情報に添付されている位置、利用価格）を表示する。
利用者が表示部に表示されている所属ＧＷからいずれかを選択することにより、接続要求部１３は、選択された所属ＧＷの認証情報を添付して、交換サーバＡ２に対して接続要求を出力する（ステップＳ８）。
【００５８】
次に、呼接続先解決部２は、端末Ａ１から送信してきた認証情報に対応した所属ＧＷに対して呼接続を行う要求を出力する（ステップＳ９）。
これにより、端末認証部２２は、認証パスワード保持ＤＢ２８を参照して、自身の認証情報発行部２６の発行した認証情報であることを検出すると、他端末接続部２３は、公衆電話網ＡＫを介して電話網の呼制御プロトコルを使用して端末Ａ１１との呼接続を確立するとともに、端末Ａ１と所属ＧＷ・Ａ３との間でＩＰ上の呼制御プロトコルを使用した呼接続処理を行い、音声データの送受信のための音声パスの確立も行う。
すなわち、他端末接続部２３は、端末Ａ１と端末Ａ１１とのあいだの通話を可能とする（ステップＳ１０）。
【００５９】
このとき、課金処理部２４は、呼接続が確立した時点から、通話時間を計数するタイマーを動作させて、課金処理を開始し、たとえば、通話終了時に、課金管理ＤＢ３０を参照して、記憶されている料金表により、所定の時間間隔毎の課金単位を読み出し、上記通話時間に対応する料金を課金情報（使用料金）として求め、この課金情報を端末ＩＤとともに管理サーバである交換サーバＡ２へ送信する（ステップＳ１１）。
そして、課金情報処理部５は、課金情報管理ＤＢ９において、端末ＩＤ毎に、入力される課金情報を積算し、所定の期間毎に端末Ａ１へ、単位期間内の利用料金情報として送信する（ステップＳ１２）。
【００６０】
＜非所属ゲートウェイを使用した呼接続＞
以下に、接続先情報の示す端末の通信網が異なるＩＰ通信網にあるゲートウェイに収容されている場合の呼接続の流れを、図６を参照して説明する。ここで、図６は端末Ａ１が端末Ｂ１１に対して外線発信を行った場合を示すシーケンス図である。
呼接続の説明において、端末Ａ１が端末Ｂ１１に対して発信を行ったとする。この場合、交換サーバＡ２またはＡ６と異なるＩＰ交換網ＢＩにあるゲートウェイ、すなわち非所属ゲートウェイであるＧＷ・Ｂ３〜Ｂ５のいずれかを用いて、端末Ｂ１１に呼接続を行う。
【００６１】
利用者が端末Ａ１から端末Ｂ１１へ外線発信を行うと、接続許可申請処理部１１は所属サーバ情報記憶部１４を参照して、所属先の交換サーバを検索して、検索された交換サーバＡ２に対して端末ＩＤ及び接続先情報（端末Ｂ１１の電話番号が設定された相手番号が含まれる）を送信する（ステップＦ１）。
次に、交換サーバＡ２において、接続許可端末認証部１は、端末Ａ１から入力された端末ＩＤが接続許可端末ＤＢ６に登録されており、かつゲートウェイのチャンネルを使用する権利があるか否かの検出を行う（ステップＦ２）。
【００６２】
そして、接続許可端末認証部１は、端末Ａ１の端末ＩＤが接続端末許可ＤＢ６に登録されており、かつゲートウェイのチャンネルを利用する権利があることを検出すると認証信号を出力し、処理をステップＦ４へ進める（ステップＦ３）。
一方、接続許可端末認証部１は、端末ＩＤが登録されていないか、またはゲートウェイのチャンネルを利用するサービスクラスでないことのいずれかを検出した場合、非認証信号を端末Ａ１に出力して呼を切断する。
次に、呼接続先解決部２は、端末Ａ１から入力された端末ＩＤ及び接続先情報により、呼接続先解決ＤＢ７を参照して、該接続先情報に対応するゲートウェイを検索し、呼接続先解決ＤＢ７に対応するゲートウェイがないことを検出すると、接続先情報に対応する端末の通信網を収容している、他のＩＰ交換網ＢＩにある交換サーバＢ２を検出し、この交換サーバＢ２に対して（交換サーバＢ２のアドレス情報に基づいて、ルータＡ７，ネットワークＧＩ及びルータＢ７を介した通信経路により）、端末Ｂ１１の接続先情報を送信して、この接続先情報に対応するゲートウェイの問い合わせを行う（ステップＦ４）。
【００６３】
これにより、交換サーバＢ２において、呼接続先解決部２Ｂ（以降、ＩＰ交換網ＢＩに属する装置に関しては符号の後ろにＢを付加して説明することとする）は、入力された接続先情報により、呼接続先解決ＤＢ７Ｂを検索して、端末Ｂ１１に対応するゲートウェイを一つまたは複数個、たとえば、ＧＷ・Ｂ３〜Ｂ５を選択し、交換サーバＡ２に対して、アドレス情報を含む識別番号を通知するとともに（ステップＦ５）、ＧＷ・Ｂ３〜Ｂ５に対して、交換サーバＡ２の登録を要求する。ここで、選択されたゲートウェイは、交換サーバＡ２及びＡ６が管理しているＩＰ交換網ＡＩと異なるＩＰ交換網ＢＩにあり、交換サーバＢ２またはＢ６が管理しているため、交換サーバＡ２及びＡ６からみた場合に、非所属ゲートウェイと呼ぶ。
【００６４】
そして、ＧＷ資源利用可否判定部３は、交換サーバＢ２（端末Ｂ１等が所属する）が契約しているチャンネル数をＧＷ管理ＤＢ８Ｂにおいて検索して、これら非所属ＧＷにおけるチャンネルの契約数から利用中のチャンネルを減算した残りのチャンネル数が、端末Ａ１の要求するチャンネルの利用数より大きいことが確認されると、その非所属ＧＷが利用可能であることを検出する。
この結果、ＧＷ資源利用可否判定部３は、呼接続先解決部２Ｂの選択した非所属ＧＷ（ゲートウェイ）・Ｂ３〜Ｂ４において、利用可能であることが可能と検出した非所属ＧＷ毎にＯＫ信号を呼接続先解決部２へ出力する。
これにより、呼接続先解決部２は、このＯＫ信号を入力して、利用可能であることが検出された非所属ＧＷに対して、呼接続を許可する認証情報の発行を依頼する（ステップＦ６）。
一方、ＧＷ資源利用可否判定部３は、現在の残りの資源数が端末Ａ１の要求するチャンネル数より少ないことを検出すると、端末Ａ１に対して接続が失敗したことを示す情報を出力した後、端末Ａ１との呼接続を切断する。
【００６５】
次に、たとえば、所属ＧＷ・Ｂ３において、サーバ認証部２１Ｂは、異なるＩＰ交換網ＡＩにある交換サーバＡ２からの異なるＩＰ交換網ＡＩにあることを示すサーバ情報が添付された認証情報要求であることを検出する。これにより、認証情報発行部２６Ｂは接続許可サーバ管理ＤＢ２７に、この交換サーバＡ２が登録されているか否かの検出を行う。そして、認証情報発行部２６Ｂが接続許可サーバ管理部２７Ｂに交換サーバＡ２が登録されていることを検出すると、サーバ認証部２１Ｂは認証情報発行部２６Ｂに端末Ａ１に対する認証情報の発行を指示する。
【００６６】
このとき、認証情報発行部２６Ｂは、接続許可サーバ管理ＤＢ２７Ｂにこの交換サーバＡ２が登録されていることを検出し、かつ交換サーバＡ２が異なるＩＰ交換網にある交換サーバであることを示すフラグが添付されていることを検出し、サーバ認証部２１からの指示を入力することにより、ＧＷ資源管理ＤＢ２９Ｂにおいて、ゲートウェイを非所属ゲートウェイとして交換サーバＡ２に通知した交換サーバＢ２の利用可能なチャンネル数を示す最大数情報から、交換サーバＢ２が現在利用しているチャンネル数を減算し、この演算結果が端末Ａ１の要求するチャンネル数以上であることを検出し、かつ通話品質が交換サーバＡ２の利用可能なもの（問い合わせの時点で通信品質、端末Ａ１の要求するチャンネル数等の資源情報を送信している）と対応していることを検出すると、端末Ａ１に対する認証情報を発行する。
そして、認証情報発行部２６Ｂは、上記発行した認証情報を端末Ａ１の端末ＩＤに対応させて、認証パスワード保持ＤＢ２８Ｂに登録するとともに、この認証情報を交換サーバＡ２へ送信する（ステップＦ７）。他の非所属ＧＷ・Ｂ４及びＢ５も、上述した非所属ＧＷ・Ｂ３と同様に、認証情報の発行処理を行う。
【００６７】
次に、交換サーバＡ２において、認証情報受渡処理部４は、呼接続先解決部２の認証情報の要求に対応して、要求した各非所属ＧＷから返送される認証情報を受信する。
そして、認証情報受渡処理部４は、認証情報を送信してきた各非所属ＧＷに対して、再度、ＧＷ資源利用可否判定部３によるチャンネルの利用可能の可否の判定（すでに述べた利用可否の判定処理と同様）を行い、利用可能であると判定された非所属ＧＷの認証情報を端末Ａ１に対して転送する（ステップＦ８）。
【００６８】
これにより、端末Ａ１において、認証情報受信部１２は、入力される各非所属ＧＷ（たとえば、Ｂ３〜Ｂ５）の認証情報を、一端、ＧＷ認証情報記憶部１５へ格納する。
そして、端末Ａ１は、表示部に認証情報を送信してきた非所属ＧＷの情報（認証情報に添付されている位置、利用価格）を表示する。
利用者が表示部に表示されている非所属ＧＷからいずれかを選択することにより、接続要求部１３は、選択された非所属ＧＷの認証情報を添付して、交換サーバＡ２に対して接続要求を出力する（ステップＦ９）。
【００６９】
次に、呼接続先解決部２は、端末Ａ１から送信してきた認証情報に対応した非所属ＧＷに対して呼接続を行う要求を出力する（ステップＦ１０）。
これにより、端末認証部２２Ｂは、認証パスワード保持ＤＢ２８Ｂを参照して、自身の認証情報発行部２６Ｂの発行した認証情報であることを検出すると、他端末接続部２３Ｂは、公衆電話網ＢＫを介して電話網の呼制御プロトコルを使用して端末Ｂ１１との呼接続を確立するとともに、端末Ａ１と非所属ＧＷ・Ｂ３との間でＩＰ上の呼制御プロトコルを使用した呼接続処理を行い、音声データの送受信のための音声パスの確立も行う。
すなわち、他端末接続部２３Ｂは、端末Ａ１と端末Ｂ１１とのあいだの通話を可能とする（ステップＦ１１）。
【００７０】
このとき、課金処理部２４Ｂは、呼接続が確立した時点から、通話時間を計数するタイマーを動作させて、課金処理を開始し、たとえば、通話終了時に、課金管理ＤＢ３０Ｂを参照して、記憶されている料金表により、所定の時間間隔毎の課金単位を読み出し、上記通話時間に対応する料金を課金情報として求め、この課金情報を端末ＩＤとともに交換サーバＡ２へ送信する（ステップＦ１２）。
そして、課金情報処理部５は、課金情報管理ＤＢ９において、端末ＩＤ毎に、入力される課金情報を積算し（ステップＳ１１の所属ゲートウェイからの課金情報も加算した、所属及び非所属の各ゲートウェイからの課金情報を後継する）、所定の期間毎に端末Ａ１へ、単位期間内の利用料金情報として送信する（ステップＦ１３）。
【００７１】
＜公衆電話網からの着信＞
端末Ａ１２が端末Ａ１に対して着信を要求すると、たとえば、ＧＷ・Ａ４は公衆電話網ＡＫから端末Ａ１２が指定した着番号と端末Ａ１２を識別する発番号とを受信する。
そして、ＧＷ・Ａ４は、内部の接続許可管理サーバＤＢ２７により、呼接続を管理する交換サーバ、たとえば交換サーバＡ６を検出すると、受信した着番号を交換サーバＡ６へ送信する。
これにより、交換サーバＡ６は、この着番号に対応する端末Ａ１を検索して、この端末Ａ１の接続先情報をＧＷ・Ａ４へ送信する。
そして、ＧＷ・Ａ４は、上記接続先情報により、ステップＳ１０やステップＦ１１と同様にして、端末Ａ１２と端末Ａ１との呼接続処理を行う。
【００７２】
なお、図１における交換サーバ、ゲートウェイ及び端末各々の機能を実現するためのプログラムをコンピュータ読み取り可能な記録媒体に記録して、この記録媒体に記録されたプログラムをコンピュータシステムに読み込ませ、実行することにより、各交換処理，接続処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００７３】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）および電波を利用した無線のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００７４】
【図１】本発明の一実施形態の電話交換システムの一構成例を示す概念図である。
【図２】図１の交換サーバＡ２（Ａ６，Ｂ２，Ｂ６）の一構成例を示すブロック図である。
【図３】図１の端末Ａ１（Ａ２）の一構成例を示すブロック図である。
【図４】図１のＧＷＡ３（Ａ４，Ａ５，Ｂ３〜Ｂ５；ゲートウェイ）の一構成例を示すブロック図である。
【図５】本発明の電話交換システムにおける所属ゲートウェイを使用した場合の電話交換の処理を示すシーケンス図である。
【図６】本発明の電話交換システムにおける非所属ゲートウェイを使用した場合の電話交換の処理を示すシーケンス図である。
【符号の説明】
【００７５】
１…接続許可端末認証部
２…呼接続先解決部
３…ＧＷ資源利用可否判定部
４…認証情報受渡処理部
５…課金情報処理部
６…接続許可端末ＤＢ（データベース）
７…呼接続先解決ＤＢ
８…ＧＷ管理ＤＢ
９…課金情報管理ＤＢ
１１…接続許可申請処理部
１２…認証情報受信部
１３…接続要求部
１４…所属サーバ情報記憶部
１５…ＧＷ認証情報記憶部
２１…サーバ認証部
２２…端末認証部
２３…他端末接続部
２４…課金処理部
２５…課金情報通知部
２６…認証情報発行部
２７…接続許可サーバ管理ＤＢ
２８…認証パスワード保持ＤＢ
２９…ＧＷ資源管理ＤＢ
３０…課金管理ＤＢ
Ａ１，Ｂ１…端末
Ａ２，Ａ６，Ｂ２，Ｂ６…交換サーバ
Ａ３，Ａ４，Ａ５，Ｂ３，Ｂ４，Ｂ５…ＧＷ（ゲートウェイ）
Ａ７，Ｂ７…ルータ
Ａ１１，Ａ１２，Ａ１３，Ａ１４，Ａ１５，Ａ１６…端末
Ｂ１１，Ｂ１２，Ｂ１３，Ｂ１４，Ｂ１５，Ｂ１６…端末
ＡＩ，ＢＩ…ＩＰ交換網
ＡＫ，ＢＫ…公衆電話網
【図１】
2005333440.tif 000003
【図２】
2005333440.tif 000004
【図３】
2005333440.tif 000005
【図４】
2005333440.tif 000006
【図５】
2005333440.tif 000007
【図６】
2005333440.tif 000008